(57)【要約】【課題】  シーブから発生する音が周りへ伝搬することを抑制することができるシーブカバーを提供する。【解決手段】  シーブカバーは、ロープが掛けられるエレベータ巻上機のシーブを覆うシーブカバーであって、シーブの少なくとも一部を覆うカバー本体と、カバー本体の内側に取り付けられ、カバー本体の吸音率よりも大きい吸音率を有する吸音体と、を備える。【選択図】  図２
2019119595.tif 000002
【特許請求の範囲】
【請求項１】
ロープが掛けられるエレベータ巻上機のシーブを覆うシーブカバーであって、
前記シーブの少なくとも一部を覆うカバー本体と、
前記カバー本体の内側に取り付けられ、前記カバー本体の吸音率よりも大きい吸音率を有する吸音体と、を備えるシーブカバー。
【請求項２】
前記カバー本体は、前記シーブの一部を覆う第１カバー部と、前記シーブの一部を覆い、前記第１カバー部とは分離可能な第２カバー部と、を備え、
前記吸音体は、前記第１カバー部に取り付けられる第１吸音部と、前記第２カバー部に取り付けられる第２吸音部と、を備え、
前記第１吸音部は、前記第１カバー部から突出する第１突出部を備え、
前記第２吸音部は、前記第２カバー部から突出し、前記第１突出部に接する第２突出部を備える、請求項１に記載のシーブカバー。
【請求項３】
前記エレベータ巻上機は、前記シーブの一部が内部に配置される筒状部を有する架台と、前記シーブを回転可能に支持する軸受部と、前記架台に対する前記軸受部の位置を調整して、前記軸受部を前記架台に固定可能な固定機構と、を備え、
前記カバー本体は、前記シーブが前記架台の前記筒状部から突出する部分の少なくとも一部を覆うカバー部を備え、
前記シーブカバーは、前記軸受部に対する前記カバー部の位置が一定となるように、前記カバー部と前記軸受部とを連結する連結部を備える、請求項１又は２に記載のシーブカバー。
【請求項４】
エレベータ巻上機に取り付けられる巻上機カバーであって、
前記エレベータ巻上機は、ロープが掛けられる第１シーブと、前記第１シーブよりも下方側に配置され、前記ロープが掛けられる第２シーブと、筒状に形成される筒状部を有し、前記第１シーブの下方部と前記第２シーブの上方部とが前記筒状部の内部に配置される架台と、を備え、
前記巻上機カバーは、前記第１シーブが前記架台の前記筒状部から突出する上方部の少なくとも一部を覆う第１シーブカバーと、前記第２シーブが前記架台の前記筒状部から突出する下方部の少なくとも一部を覆う第２シーブカバーと、を備え、
前記第１シーブカバー及び第２シーブカバーの少なくとも一方は、請求項１〜３の何れか１項に記載のシーブカバーである、巻上機カバー。
【請求項５】
エレベータ巻上機に取り付けられる巻上機カバーであって、
前記エレベータ巻上機は、ロープが掛けられる第１シーブと、前記第１シーブよりも下方側に配置され、前記ロープが掛けられる第２シーブと、筒状に形成される筒状部を有し、前記第１シーブの下方部と前記第２シーブの上方部とが前記筒状部の内部に配置される架台と、を備え、
前記巻上機カバーは、前記第１シーブが前記架台の前記筒状部から突出する上方部の少なくとも一部を覆う第１シーブカバーと、前記第２シーブが前記架台の前記筒状部から突出する下方部の少なくとも一部を覆う第２シーブカバーと、を備える、巻上機カバー。
【請求項６】
ロープが掛けられるシーブを有するエレベータ巻上機と、
前記シーブを覆う請求項１〜３の何れか１項に記載のシーブカバーと、を備えるエレベータ。
【発明の詳細な説明】
【技術分野】
【０００１】
本発明は、シーブカバー、巻上機カバー及びエレベータに関する。
【背景技術】
【０００２】
従来、例えば、エレベータは、ロープが掛けられるシーブと、シーブを覆うシーブカバーを備えている（例えば、特許文献１）。これにより、作業員が行う作業（例えば、保守作業、点検作業等）の安全性を確保することができる。ところで、シーブから発生する音が、周りへ伝搬することによって、例えば、かご内のユーザやシーブ近くの乗場（例えば、最上階の乗場）で待機するユーザ等に不快感を与えるという問題がある。
【先行技術文献】
【特許文献】
【０００３】
【特許文献１】特開平１１−７９６０４号公報
【発明の概要】
【発明が解決しようとする課題】
【０００４】
そこで、課題は、シーブから発生する音が周りへ伝搬することを抑制することができるシーブカバー、巻上機カバー及びエレベータを提供することである。
【課題を解決するための手段】
【０００５】
シーブカバーは、ロープが掛けられるエレベータ巻上機のシーブを覆うシーブカバーであって、前記シーブの少なくとも一部を覆うカバー本体と、前記カバー本体の内側に取り付けられ、前記カバー本体の吸音率よりも大きい吸音率を有する吸音体と、を備える。
【０００６】
また、シーブカバーにおいては、前記カバー本体は、前記シーブの一部を覆う第１カバー部と、前記シーブの一部を覆い、前記第１カバー部とは分離可能な第２カバー部と、を備え、前記吸音体は、前記第１カバー部に取り付けられる第１吸音部と、前記第２カバー部に取り付けられる第２吸音部と、を備え、前記第１吸音部は、前記第１カバー部から突出する第１突出部を備え、前記第２吸音部は、前記第２カバー部から突出し、前記第１突出部に接する第２突出部を備える、という構成でもよい。
【０００７】
また、シーブカバーにおいては、前記エレベータ巻上機は、前記シーブの一部が内部に配置される筒状部を有する架台と、前記シーブを回転可能に支持する軸受部と、前記架台に対する前記軸受部の位置を調整して、前記軸受部を前記架台に固定可能な固定機構と、を備え、前記カバー本体は、前記シーブが前記架台の前記筒状部から突出する部分の少なくとも一部を覆うカバー部を備え、前記シーブカバーは、前記軸受部に対する前記カバー部の位置が一定となるように、前記カバー部と前記軸受部とを連結する連結部を備える、という構成でもよい。
【０００８】
また、巻上機カバーは、エレベータ巻上機に取り付けられる巻上機カバーであって、前記エレベータ巻上機は、ロープが掛けられる第１シーブと、前記第１シーブよりも下方側に配置され、前記ロープが掛けられる第２シーブと、筒状に形成される筒状部を有し、前記第１シーブの下方部と前記第２シーブの上方部とが前記筒状部の内部に配置される架台と、を備え、前記巻上機カバーは、前記第１シーブが前記架台の前記筒状部から突出する上方部の少なくとも一部を覆う第１シーブカバーと、前記第２シーブが前記架台の前記筒状部から突出する下方部の少なくとも一部を覆う第２シーブカバーと、を備える。
【０００９】
また、巻上機カバーにおいては、前記第１シーブカバー及び第２シーブカバーの少なくとも一方は、前記シーブの少なくとも一部を覆うカバー本体と、前記カバー本体の内側に取り付けられ、前記カバー本体の吸音率よりも大きい吸音率を有する吸音体と、を備える、という構成でもよい。
【００１０】
また、エレベータは、ロープが掛けられるシーブを有するエレベータ巻上機と、前記シーブを覆う前記のシーブカバーと、を備える。
【発明の効果】
【００１１】
以上の如く、シーブカバー、巻上機カバー及びエレベータは、シーブから発生する音が周りへ伝搬することを抑制することができる、という優れた効果を奏する。
【図面の簡単な説明】
【００１２】
【図１】図１は、一実施形態に係るエレベータ巻上機の右側面図である。
【図２】図２は、図１のII−II線断面図である。
【図３】図３は、同実施形態に係るエレベータ巻上機の要部斜視図である。
【図４】図４は、同実施形態に係るシーブ及びロープの斜視図である。
【図５】図５は、同実施形態に係る架台の斜視図である。
【図６】図６は、図２の第１シーブカバーの拡大図である。
【図７】図７は、図２の第２シーブカバーの拡大図である。
【図８】図８は、図７の領域における第２シーブカバーの正面図であって、一部断面を示す図である。
【図９】図９は、他の実施形態に係るシーブカバーの要部断面図であって、シーブを開放している状態を示す図である。
【図１０】図１０は、同実施形態に係るシーブカバーの要部断面図であって、シーブを覆っている状態を示す図である。
【発明を実施するための形態】
【００１３】
以下、シーブカバー、巻上機カバー及びエレベータにおける一実施形態について、図１〜図８を参照しながら説明する。なお、各図（図９以降も同様）において、図面の寸法比と実際の寸法比とは、必ずしも一致しておらず、また、各図面の間での寸法比も、必ずしも一致していない。
【００１４】
図１及び図２に示すように、本実施形態に係るエレベータ１は、ユーザが乗るためのかご（図示していない）と釣合錘（図示していない）とに接続されるロープ１０を備えている。また、エレベータ１は、ロープ１０を駆動してかご及び釣合錘を昇降させるエレベータ巻上機（以下、単に「巻上機」ともいう）２を備えている。
【００１５】
本実施形態においては、エレベータ１は、巻上機２が昇降路よりも上方の機械室の内部に配置される、所謂、機械室有りタイプのエレベータである。なお、エレベータ１は、巻上機２が昇降路の内部に配置される、所謂、機械室無しタイプのエレベータである、という構成でもよい。
【００１６】
巻上機２は、ロープ１０が掛けられる回転可能な第１シーブ２１と、第１シーブ２１よりも下方側に配置され、ロープ１０が掛けられる回転可能な第２シーブ２２と、第１シーブ２１に回転駆動を与える駆動源２３とを備えている。なお、第１シーブ２１は、綱車とも呼ばれ、第２シーブ２２は、反らせ車とも呼ばれる。
【００１７】
巻上機２は、第１シーブ２１を制動する制動部２４と、第１シーブ２１を回転可能に支持する第１軸受部２５と、第２シーブ２２を回転可能に支持する第２軸受部２６とを備えている。また、巻上機２は、第１及び第２シーブ２１，２２を支持するために、第１及び第２軸受部２５，２６にそれぞれ固定される架台３を備えている。なお、巻上機２は、架台３に対する第２軸受部２６の位置を調整して、第２軸受部２６を架台３に固定可能な固定機構２ａ（図８参照）を備えている。
【００１８】
架台３は、筒状部３ａを備えている。例えば、架台３の筒状部３ａは、角筒状に形成されている。そして、第１シーブ２１の一部と第２シーブ２２の一部とが、架台３の筒状部３ａの内部に配置されている。具体的には、第１シーブ２１の下方部と第２シーブ２２の上方部とが、筒状部３ａの内部に配置されている。これにより、第１シーブ２１の上方部と第２シーブ２２の下方部とが、筒状部３ａら突出している。
【００１９】
そして、エレベータ１は、架台３を躯体Ｘ１に固定するベース１ａ（図１は図示しており、図２は図示していない）を備えている。例えば、ベース１ａは、複数の長尺な鋼材（例えば、Ｈ鋼材や角鋼材）を備えていてもよい。図１に係るベース１ａは、Ｈ鋼材が複数上下方向に連結されている。なお、ベース１ａは、斯かる構成に限られず、架台３を躯体Ｘ１に固定する構成であればよい。
【００２０】
さらに、エレベータ１は、第１及び第２シーブ２１，２２を覆う巻上機カバー１ｂを備えている。そして、巻上機カバー１ｂは、第１シーブ２１の上方部の少なくとも一部を覆う第１シーブカバー４と、第２シーブ２２の下方部の少なくとも一部を覆う第２シーブカバー５とを備えている。
【００２１】
ところで、ロープ１０の一方側１０ａがかごに接続され、ロープ１０の他方側１０ｂが釣合錘に接続されていることに対して、図３及び図４に示すように、ロープ１０の中間部１０ｃが第１及び第２シーブ２１，２２に巻き掛けられている。即ち、ロープ１０のうち、かごと釣合錘とに接続されている部分１０ａ，１０ｂの間の部分１０ｃが、第１及び第２シーブ２１，２２に巻き掛けられている。
【００２２】
本実施形態においては、ロープ１０の中間部１０ｃは、第１シーブ２１、第２シーブ２２の順に巻き掛けられた後に折り返され、再度、第１シーブ２１、第２シーブ２２の順に巻き掛けられている。即ち、ロープ１０の中間部１０ｃは、一方側１０ａから他方側１０ｂに向けて、第１シーブ２１に接触する第１接触部１１と、第２シーブ２２に接触する第２接触部１２と、再び第１シーブ２１に接触する第３接触部１３と、第２シーブ２２に接触する第４接触部１４とを備えている。
【００２３】
そして、各接触部１１〜１４のそれぞれの端部のうち、ロープ１０の一方側１０ａの端部は、第１接触端部１１ａ〜１４ａといい、ロープ１０の他方側１０ｂの端部は、第２接触端部１１ｂ〜１４ｂという。各接触端部１１ａ〜１４ａ，１１ｂ〜１４ｂは、シーブ２１，２２に接触したり離れたりすることで、音を発生させる場所である。
【００２４】
なお、ロープ１０の中間部１０ｃは、例えば、第１シーブ２１、第２シーブ２２の順に巻き掛けられた後に折り返されることがない、即ち、第１シーブ２１及び第２シーブ２２に接触する接触部を一つずつ備えている、という構成でもよい。また、例えば、ロープ１０の中間部１０ｃは、第１シーブ２１及び第２シーブ２２に接触する接触部を三つ以上ずつ備えている、という構成でもよい。
【００２５】
図３及び図５に示すように、架台３は、筒部を有する第１段３１と、筒部を有し、第１段３１と連結される第２段３２とを備えている。そして、第１段３１及び第２段３２は、長尺な鋼材３１ａ〜３１ｄ，３２ａ〜３２ｄをそれぞれ四つずつ備えている。なお、鋼材３１ａ〜３１ｄ，３２ａ〜３２ｄは、特に限定されないが、図１及び図２においては、鋼材３１ａ〜３１ｄ，３２ａ〜３２ｄは、Ｈ鋼材として図示され、図３及び図５においては、鋼材３１ａ〜３１ｄ，３２ａ〜３２ｄは、角鋼材として図示されている。
【００２６】
第１段３１においては、第１鋼材３１ａと第２鋼材３１ｂとが平行に配置され、第３鋼材３１ｃと第４鋼材３１ｄとが平行に配置されている。そして、第３鋼材３１ｃの端部は、第１鋼材３１ａ及び第２鋼材３１ｂのそれぞれの一端部に固定され、第４鋼材３１ｄの端部は、第１鋼材３１ａ及び第２鋼材３１ｂのそれぞれの中間部に固定されている。これにより、第１段３１は、筒部を備えている。なお、鋼材３１ａ〜３１ｄ間に、隙間が存在していてもしていなくてもよい。
【００２７】
第２段３２においては、第１鋼材３２ａと第２鋼材３２ｂとが平行に配置され、第３鋼材３２ｃと第４鋼材３２ｄとが平行に配置されている。そして、第３鋼材３２ｃの端部は、第１鋼材３２ａ及び第２鋼材３２ｂのそれぞれの一端部に固定され、第４鋼材３２ｄの端部は、第１鋼材３２ａ及び第２鋼材３２ｂのそれぞれの他端部に固定されている。これにより、第２段３２は、筒部を備えている。なお、鋼材３２ａ〜３２ｄ間に、隙間が存在していてもしていなくてもよい。
【００２８】
そして、第１段３１及び第２段３２が、上下方向で連結されることで、架台３は、上下方向に延びる筒状部３ａを備えている。本実施形態においては、第１段３１の筒部の形状と、第２段３２の筒部の形状とが異なるものの、それぞれの筒部が上下方向で連通されることで、架台３の筒状部３ａが形成されている。なお、架台３は、斯かる構成に限られず、第１シーブ２１の一部と第２シーブ２２の一部とが筒状部３ａの内部に配置されるように、筒状部３ａを備えている、という構成であればよい。
【００２９】
図６に示すように、第１シーブカバー４は、第１シーブ２１の一部を覆う第１カバー本体４１を備えている。また、第１シーブカバー４は、第１カバー本体４１の内側に取り付けられる第１吸音体４２を備えている。
【００３０】
第１カバー本体４１は、第１吸音体４２を支持するために、第１吸音体４２よりも硬く形成されている。そして、第１カバー本体４１は、板状に形成されている。具体的には、第１カバー本体４１は、第１吸音体４２よりも薄い厚みの板状に形成されている。第１カバー本体４１は、特に限定されないが、例えば、鋼板としてもよい。
【００３１】
第１吸音体４２は、第１シーブ２１から発生した音を吸収するために、第１カバー本体４１よりも、大きい吸音率を有している。第１吸音体４２は、特に限定されないが、音の反射や共振を防ぎ、空気の伝わりを弱める働きがあるものであればよく、例えば、グラスウール、ミニソネックスとしてもよい。なお、吸音率は、例えば、音波があらゆる方向から一様に入射した場合の吸音率（ランダム入射吸音率）であって、ＪＩＳ  Ａ１４０９：１９９８に規定されている方法に準じて測定した値とすることができる。
【００３２】
第１カバー本体４１は、互いに分離可能な第１〜第３カバー部４１ａ〜４１ｃを備えており、第１吸音体４２は、第１〜第３カバー部４１ａ〜４１ｃの内側にそれぞれ取り付けられる第１〜第３吸音部４２ａ〜４２ｃを備えている。そして、第１シーブカバー４は、第１カバー部４１ａと第２カバー部４１ｂとを接続する第１接続部４３と、第２カバー部４１ｂと架台３とを接続する第２接続部４４と、第１カバー部４１ａと第３カバー部４１ｃとを接続する第３接続部４５とを備えている。
【００３３】
第１接続部４３及び第２接続部４４は、リンク機構を備えている。これにより、第１シーブ２１及び架台３に対する第２カバー部４１ｂの位置を調整することができる。したがって、固定機構２ａ（図８参照）によって、架台３に対する第２軸受部２６（図８参照）の位置が調整されることに対して、第２カバー部４１ｂ及び第２吸音部４２ｂがロープ１０に沿って位置するように、第２カバー部４１ｂ及び第２吸音部４２ｂの位置を調整させることもできる。
【００３４】
ところで、第１シーブカバー４は、第１シーブ２１に対するロープ１０の接触端部１１ａ，１１ｂ，１３ａ，１３ｂのうち、架台３の筒状部３ａの外部に位置している接触端部１１ａ，１１ｂ，１３ａ，１３ｂの全てを覆うように、配置されていることが好ましい。これにより、第１シーブ２１から発生する音が第１吸音体４２で効果的に吸収することができる。なお、「接触端部１１ａ〜１４ａ，１１ｂ〜１４ｂを覆う」とは、接触端部１１ａ〜１４ａ，１１ｂ〜１４ｂをシーブ２１，２２の半径方向で覆っていることをいう。
【００３５】
本実施形態においては、第１及び第３接触部１１，１３の第１接触端部１１ａ，１３ａは、第３カバー部４１ｃ及び第３吸音部４２ｃに覆われており、第１及び第３接触部１３の第２接触端部１１ｂ，１３ｂは、第１カバー部４１ａ及び第１吸音部４２ａに覆われている。なお、第１シーブカバー４は、接触端部１１ａ，１１ｂ，１３ａ，１３ｂの全てを覆うように、配置されていなくてもよい。
【００３６】
なお、接触端部１１ａ，１３ａ（１１ｂ，１３ｂ）と、当該接触端部１１ａ，１３ａ（１１ｂ，１３ｂ）を覆う吸音部４２ｃ（４２ａ）との間の距離は、特に限定されないが、例えば、ロープ１０の直径の１０倍以下であることが好ましく、また、例えば、ロープ１０の直径の５倍以下であることがさらに好ましい。
【００３７】
第１吸音部４２ａは、第１カバー部４１ａから下方に突出する第１突出部４２ｄを備えており、第２吸音部４２ｂは、第２カバー部４１ｂから上方に突出する第２突出部４２ｅを備えている。そして、第１突出部４２ｄと第２突出部４２ｅとは、接している。これにより、第１カバー部４１ａと第２カバー部４１ｂとの間が閉塞されている。
【００３８】
第３吸音部４２ｃは、第３カバー部４１ｃから下方に突出する第３突出部４２ｆを備えている。そして、第３突出部４２ｆが架台３と接しているため、第３カバー部４１ｃと架台３との間が閉塞されている。また、第２カバー部４１ｂ及び第２吸音部４２ｂの下方部が、架台３の内部に配置されているため、第２カバー部４１ｂと架台３との間が閉塞されている。
【００３９】
図７及び図８に示すように、第２シーブカバー５は、第２シーブ２２の一部を覆う第２カバー本体５１と、第２カバー本体５１の内側に取り付けられる第２吸音体５２とを備えている。なお、第２シーブカバー５は、ロープ１０が通過するための開放部５ａを備えている。
【００４０】
第２カバー本体５１は、第２吸音体５２を支持するために、第２吸音体５２よりも硬く形成されている。また、第２吸音体５２は、第２シーブ２２から発生した音を吸収するために、第２カバー本体５１よりも、大きい吸音率を有している。そして、第２カバー本体５１は、互いに分離可能な第１〜第５カバー部５１ａ〜５１ｅを備えており、第２吸音体５２は、第１〜第５カバー部５１ａ〜５１ｅの内側にそれぞれ取り付けられる第１〜第５吸音部５２ａ〜５２ｅを備えている。
【００４１】
ところで、第２シーブカバー５は、第２シーブ２２に対するロープ１０の接触端部１２ａ，１２ｂ，１４ａ，１４ｂのうち、架台３の筒状部３ａの外部に位置している接触端部１２ｂ，１４ｂの全てを覆うように、配置されていることが好ましい。これにより、第２シーブ２２から発生する音が第２吸音体５２で効果的に吸収することができる。
【００４２】
本実施形態においては、第２接触部１２の第２接触端部１２ｂは、第１カバー部５１ａ及び第１吸音部５２ａに覆われており、第４接触部１４の第２接触端部１４ｂは、第５カバー部５１ｅ及び第５吸音部５２ｅに覆われている。なお、第２及び第４接触部１２，１４の第１接触端部１２ａ，１４ａは、架台３に覆われている。
【００４３】
これにより、架台３及び第２シーブカバー５は、協働することによって、第２シーブ２２に対するロープ１０の接触端部１２ａ，１２ｂ，１４ａ，１４ｂの全てを覆っている。なお、架台３及び第２シーブカバー５は、接触端部１２ａ，１２ｂ，１４ａ，１４ｂの全てを覆うように、配置されていなくてもよい。
【００４４】
第１吸音部５２ａは、第１カバー部５１ａから下方に突出する第１突出部５２ｆを備えており、第２吸音部５２ｂは、第２カバー部５１ｂから上方に突出する第２突出部５２ｇを備えている。そして、第１突出部５２ｆと第２突出部５２ｇとが接している。これにより、第１カバー部５１ａと第２カバー部５１ｂとの間が閉塞されている。
【００４５】
第１吸音部５２ａは、第１カバー部５１ａから上方に突出する第３突出部５２ｈを備えている。そして、第３突出部５２ｈが架台３と接しているため、第１カバー部５１ａと架台３との間が閉塞されている。また、第５吸音部５２ｅは、第５カバー部５１ｅから上方に突出する第４突出部５２ｉを備えている。そして、第４突出部５２ｉが架台３と接しているため、第５カバー部５１ｅと架台３との間が閉塞されている。
【００４６】
また、第２シーブカバー５は、第１カバー部５１ａと第２軸受部２６とを連結する第１連結部５３と、第２〜第４カバー部５１ｂ〜５１ｄと第２軸受部２６とを連結する第２連結部５４と、第５カバー部５１ｅと第２軸受部２６とを連結する第３連結部５５とを備えている。そして、第１〜第３連結部５３〜５５は、変形することを抑制するために、剛性を有している。第１〜第３連結部５３〜５５は、特に限定されないが、例えば、金属体（鋼板）で形成されていてもよい。
【００４７】
これにより、第２軸受部２６に対する第１〜第５カバー部５１ａ〜５１ｅの位置が一定（完全に同じだけでなく、略同じも含む）となる。したがって、固定機構２ａによって、架台３に対する第２軸受部２６の位置（即ち、架台３に対する第２シーブ２２の位置）が調整されることに対して、第２シーブ２２に対する第１〜第５カバー部５１ａ〜５１ｅ及び第１〜第５吸音部５２ａ〜５２ｅの位置が一定になる。
【００４８】
なお、固定機構２ａの構成は、特に限定されない。本実施形態においては、固定機構２ａは、ボルト及びナットの締結手段を備えている。そして、固定機構２ａは、架台３及び第２軸受部２６に、ボルトに挿通される挿通孔をそれぞれ設け、少なくとも一方の挿通孔（図８においては、第２軸受部２６の挿通孔）は、長穴に形成されている。これにより、固定機構２ａは、架台３に対する第２軸受部２６の位置を調整して、第２軸受部２６を架台３に固定可能である。
【００４９】
また、図８においては、第２軸受部２６及び第１カバー部５１ａ間や、第２軸受部２６及び第５カバー部５１ｅ間に、開放部分が存在しているが、例えば、第１〜第３連結部５３〜５５の幅を広くしたり長さを長くしたりすることで、第２カバー体５１は、当該開放部分も覆うように構成されていてもよい。
【００５０】
以上より、本実施形態に係るエレベータ１は、ロープ１０が掛けられるシーブ２１，２２を有するエレベータ巻上機２と、前記シーブ２１，２２を覆う前記のシーブカバー４，５と、を備える。そして、本実施形態に係るシーブカバー４，５は、ロープ１０が掛けられるエレベータ巻上機２のシーブ２１，２２を覆うシーブカバー４，５であって、前記シーブ２１，２２の少なくとも一部を覆うカバー本体４１，５１と、前記カバー本体４１，５１の内側に取り付けられ、前記カバー本体４１，５１の吸音率よりも大きい吸音率を有する吸音体４２，５２と、を備える。
【００５１】
斯かる構成によれば、カバー本体４１，５１は、シーブ２１，２２の少なくとも一部を覆っている。そして、吸音体４２，５２は、カバー本体４１，５１の吸音率よりも大きい吸音率を有し、カバー本体４１，５１の内側に取り付けられている。これにより、シーブ２１，２２から発生する音が吸音体４２，５２で吸収されるため、シーブ２１，２２から発生する音が周りへ伝搬することを抑制することができる。
【００５２】
また、本実施形態に係るシーブカバー４，５においては、前記カバー本体４１，５１は、前記シーブ２１，２２の一部を覆う第１カバー部４１ａ，５１ａと、前記シーブ２１，２２の一部を覆い、前記第１カバー部４１ａ，５１ａとは分離可能な第２カバー部４１ｂ，５１ｂと、を備え、前記吸音体４２，５２は、前記第１カバー部４１ａ，５１ａに取り付けられる第１吸音部４２ａ，５２ａと、前記第２カバー部４１ｂ，５１ｂに取り付けられる第２吸音部４２ｂ，５２ｂと、を備え、前記第１吸音部４２ａ，５２ａは、前記第１カバー部４１ａ，５１ａから突出する第１突出部４２ｄ，５２ｆを備え、前記第２吸音部４２ｂ，５２ｂは、前記第２カバー部４１ｂ，５１ｂから突出し、前記第１突出部４２ｄ，５２ｆに接する第２突出部４２ｅ，５２ｇを備える、という構成である。
【００５３】
斯かる構成によれば、第１吸音部４２ａ，５２ａは、第１カバー部４１ａ，５１ａから突出する第１突出部４２ｄ，５２ｆを備えており、第２吸音部４２ｂ，５２ｂは、第２カバー部４１ｂ，５１ｂから突出する第２突出部４２ｅ，５２ｇを備えている。そして、第２突出部４２ｅ，５２ｇが第１突出部４２ｄ，５２ｆと接するため、分離可能な第１カバー部４１ａ，５１ａと第２カバー部４１ｂ，５１ｂとの間を、閉塞させることができる。
【００５４】
また、本実施形態に係るシーブカバー５においては、前記エレベータ巻上機２は、前記シーブ２２の一部が内部に配置される筒状部３ａを有する架台３と、前記シーブ２２を回転可能に支持する軸受部２６と、前記架台３に対する前記軸受部２６の位置を調整して、前記軸受部２６を前記架台３に固定可能な固定機構２ａと、を備え、前記カバー本体５１は、前記シーブ２２が前記架台３の前記筒状部３ａから突出する部分の少なくとも一部を覆うカバー部５１ａ〜５１ｅを備え、前記シーブカバー５は、前記軸受部２６に対する前記カバー部５１ａ〜５１ｅの位置が一定となるように、前記カバー部５１ａ〜５１ｅと前記軸受部２６とを連結する連結部５３〜５５を備える、という構成である。
【００５５】
斯かる構成によれば、シーブ２２の一部が架台３の筒状部３ａの内部に配置されていることに対して、カバー部５１ａ〜５１ｅは、シーブ２２が架台３の筒状部３ａから突出する部分の少なくとも一部を覆っている。ところで、固定機構２ａが軸受部２６を架台３に固定する際に、架台３に対する軸受部２６の位置が所望の位置に調整される。
【００５６】
それに対して、連結部５３〜５５がカバー部５１ａ〜５１ｅと軸受部２６とを連結しているため、軸受部２６に対するカバー部５１ａ〜５１ｅの位置が一定となっている。これにより、架台３に対する軸受部２６の位置に関わらず、シーブ２２に対するカバー部５１ａ〜５１ｅの位置を一定とすることができる。
【００５７】
また、本実施形態に係る巻上機カバー１ｂは、エレベータ巻上機２に取り付けられる巻上機カバー１ｂであって、前記エレベータ巻上機２は、ロープ１０が掛けられる第１シーブ２１と、前記第１シーブ２１よりも下方側に配置され、前記ロープ１０が掛けられる第２シーブ２２と、筒状に形成される筒状部３ａを有し、前記第１シーブ２１の下方部と前記第２シーブ２２の上方部とが前記筒状部３ａの内部に配置される架台３と、を備え、前記巻上機カバー１ｂは、前記第１シーブ２１が前記架台３の前記筒状部３ａから突出する上方部の少なくとも一部を覆う第１シーブカバー４と、前記第２シーブ２２が前記架台３の前記筒状部３ａから突出する下方部の少なくとも一部を覆う第２シーブカバー５と、を備える。
【００５８】
斯かる構成によれば、第１シーブ２１の下方部と第２シーブ２２の上方部とが架台３の筒状部３ａの内部に配置されていることに対して、第１シーブカバー４は、第１シーブ２１が架台３の筒状部３ａから突出する上方部の少なくとも一部を覆っている。しかも、第２シーブカバー５は、第２シーブ２２が架台３の筒状部３ａから突出する下方部の少なくとも一部を覆っている。
【００５９】
これにより、第１及び第２シーブカバー４，５と架台３とは、協働することによって、第１及び第２シーブ２１，２２を囲っている。したがって、シーブ２１，２２から発生する音が当該囲われた範囲の外部へ伝搬することを抑制することができる。
【００６０】
なお、シーブカバー４，５、巻上機カバー１ｂ及びエレベータ１は、上記した実施形態の構成に限定されるものではなく、また、上記した作用効果に限定されるものではない。また、シーブカバー４，５、巻上機カバー１ｂ及びエレベータ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６１】
（１）シーブカバー４においては、第２カバー部４１ｂは、図９に示すように、シーブ２１を開放する開放位置と、図１０に示すように、シーブ２１を覆う被覆位置とに変位可能となるように、接続部４３によって第１カバー部４１ａに接続されている、という構成でもよい。そして、第２突出部４２ｅは、図９に示すように、第２カバー部４１ｂが開放位置に位置する際に、第１突出部４２ｄから離れており、図１０に示すように、第２カバー部４１ｂが被覆位置に位置する際に、第１突出部４２ｄに接する、という構成でもよい。
【００６２】
（３）また、上記実施形態に係るシーブカバー４（５）においては、第１及び第２吸音部４２ａ，４２ｂ（５２ａ，５２ｂ）は、それぞれ第１及び第２突出部４２ｄ，４２ｅ（５２ｆ，５２ｇ）を備え、第１突出部４２ｄ（５２ｆ）と第２突出部４２ｅ（５２ｇ）とは、接する、という構成である。しかしながら、シーブカバー４，５は、斯かる構成が好ましいものの、斯かる構成に限られない。
【００６３】
例えば、吸音部４２ａ，４２ｂ（５２ａ，５２ｂ）が、カバー部４１ａ，４１ｂ（５１ａ，５１ｂ）から突出する突出部を備えず、隣接される吸音部４２ａ，４２ｂ（５２ａ，５２ｂ）同士の間に隙間が生じている、という構成でもよい。また、例えば、吸音部４２ａ，４２ｂ（５２ａ，５２ｂ）が、カバー部４１ａ，４１ｂ（５１ａ，５１ｂ）から突出する突出部４２ｄ，４２ｅ（５２ｆ，５２ｇ）を備えているものの、隣接される吸音部４２ａ，４２ｂ（５２ａ，５２ｂ）同士の間に隙間が生じている、という構成でもよい。
【００６４】
（４）また、上記実施形態に係るシーブカバー５は、軸受部２６に対するカバー部５１ａ〜５１ｅの位置が一定となるように、カバー部５１ａ〜５１ｅと軸受部２６とを連結する連結部５３〜５５を備える、という構成である。しかしながら、シーブカバー５は、斯かる構成が好ましいものの、斯かる構成に限られない。例えば、カバー部５１ａ〜５１ｅの少なくとも一つは、架台３又は躯体Ｘ１に直接的に又は間接的に固定されている、という構成でもよい。
【００６５】
（５）また、上記実施形態に係る巻上機カバー１ｂは、第１シーブ２１を覆う第１シーブカバー４と、第２シーブ２２を覆う第２シーブカバー５とを備え、第１及び第２シーブカバー４，５は、それぞれ吸音体４２，５２を備えている、という構成である。しかしながら、巻上機カバー１ｂは、斯かる構成に限られない。
【００６６】
例えば、巻上機カバー１ｂにおいては、両方のシーブ２１，２２を覆うシーブカバー４，５が備えられている場合には、両方のシーブカバー４，５は、吸音体４２，５２を備えていない、という構成でもよい。また、例えば、巻上機カバー１ｂにおいては、一方のシーブカバー４（５）が、吸音体４２（５２）を備えている場合には、他方のシーブカバー５（４）は、吸音体５２（４２）を備えていない、という構成でもよい。また、例えば、一方のシーブ２１（２２）を覆うシーブカバー４（５）が、吸音体４２（５２）を備えている場合には、エレベータ１は、他方のシーブ２２（２１）を覆うシーブカバー５（４）を備えていない、という構成でもよい。
【符号の説明】
【００６７】
１…エレベータ、１ａ…ベース、１ｂ…巻上機カバー、２…エレベータ巻上機、２ａ…固定機構、３…架台、３ａ…筒状部、４…第１シーブカバー、５…第２シーブカバー、５ａ…開放部、１０…ロープ、１０ａ…一方側、１０ｂ…他方側、１０ｃ…中間部、１１…第１接触部、１１ａ…第１接触端部、１１ｂ…第２接触端部、１２…第２接触部、１２ａ…第１接触端部、１２ｂ…第２接触端部、１３…第３接触部、１３ａ…第１接触端部、１３ｂ…第２接触端部、１４…第４接触部、１４ａ…第１接触端部、１４ｂ…第２接触端部、２１…第１シーブ、２２…第２シーブ、２３…駆動源、２４…制動部、２５…第１軸受部、２６…第２軸受部、３１…第１段、３１ａ…第１鋼材、３１ｂ…第２鋼材、３１ｃ…第３鋼材、３１ｄ…第４鋼材、３２…第２段、３２ａ…第１鋼材、３２ｂ…第２鋼材、３２ｃ…第３鋼材、３２ｄ…第４鋼材、４１…第１カバー本体、４１ａ…第１カバー部、４１ｂ…第２カバー部、４１ｃ…第３カバー部、４２…第１吸音体、４２ａ…第１吸音部、４２ｂ…第２吸音部、４２ｃ…第３吸音部、４２ｄ…第１突出部、４２ｅ…第２突出部、４２ｆ…第３突出部、４３…第１接続部、４４…第２接続部、４５…第３接続部、５１…第２カバー本体、５１ａ…第１カバー部、５１ｂ…第２カバー部、５１ｃ…第３カバー部、５１ｄ…第４カバー部、５１ｅ…第５カバー部、５２…第２吸音体、５２ａ…第１吸音部、５２ｂ…第２吸音部、５２ｃ…第３吸音部、５２ｄ…第４吸音部、５２ｅ…第５吸音部、５２ｆ…第１突出部、５２ｇ…第２突出部、５２ｈ…第３突出部、５２ｉ…第４突出部、５３…第１連結部、５４…第２連結部、５５…第３連結部、Ｘ１…躯体
【図１】
2019119595.tif 000003
【図２】
2019119595.tif 000004
【図３】
2019119595.tif 000005
【図４】
2019119595.tif 000006
【図５】
2019119595.tif 000007
【図６】
2019119595.tif 000008
【図７】
2019119595.tif 000009
【図８】
2019119595.tif 000010
【図９】
2019119595.tif 000011
【図１０】
2019119595.tif 000012